(57)【特許請求の範囲】
【請求項１】
ノーズピースに載置された被検レンズの光学特性を測定し、測定結果をディスプレイに表示するレンズメータにおいて、ノーズピースの円形開口領域内の被検レンズの屈折度数分布を得るために、所定パターンの多数の測定指標を有する指標板と、被検レンズ、ノーズピースの開口領域内及び前記指標板を通過した測定光束を検出する受光センサと、を持つ測定光学系と、前記受光センサの検出結果に基づいて所定領域の屈折度数分布を得る演算手段と、被検レンズを移動させたときに前記測定光学系の測定光軸に対して直交する方向の被検レンズの位置の変化を検出する位置検出手段と、累進多焦点レンズの遠用部，累進帯及び近用部が含まれると見込まれる測定領域を設定し、レンズの測定位置を前記演算手段により得られた屈折度数分布に基づいて遠用部、累進帯又は近用部のいずれかを含む測定開始位置に誘導するガイドを前記ディスプレイに表示した後、前記測定指標の分布領域の大きさと前記位置検出手段により検出されたレンズの移動位置とに基づき、前記測定領域の屈折度数分布が得られるように前記測定開始位置からのレンズの測定位置を誘導するガイドを前記ディスプレイに表示する誘導手段と、前記位置検出手段により検出された位置情報と前記演算手段に得られた屈折度数分布情報とに基づいて前記測定領域の全体の測定結果として屈折度数分布のマップを前記ディスプレイに表示する度数分布表示手段であって、同一の測定位置で測定値が重複して得られている場合には、所定の方法により決定された屈折度数分布のマップを表示すると共に、前記測定領域内の屈折度数分布に基づいて遠用部及び近用部の位置を判定し、前記マップ内に遠用部を示すマークと近用部を示すマークとを表示する度数分布表示手段と、を備えることを特徴とするレンズメータ。
【請求項２】
請求項１のレンズメータにおいて、前記度数分布表示手段は、同一の測定位置で測定値が重複して得られている場合には、新たに得られた屈折度数を上書き処理するか、平均化処理するか、又は測定中心の度数を優先して処理するか、何れかの方法により屈折度数を決定することを特徴とするレンズメータ。
【発明の詳細な説明】
【技術分野】
【０００１】
本発明は、レンズの光学特性を測定するレンズメータに係り、さらに累進多焦点レンズの測定に好適なレンズメータに関する。
【背景技術】
【０００２】
被検レンズに測定光束を投光し、被検レンズを透過した後の測定光束を受光素子により検出し、この検出結果に基づいて被検レンズの光学特性を得る装置が知られている。従来、この種のレンズメータにおいては、ノーズピースに被検レンズを載せ、測定光軸を中心とする１箇所の測定位置の光学特性を一組の測定光束（同一円周上に位置する少なくとも３つの測定光束）により測定する構成となっている（例えば、特許文献１参照）。
また、累進多焦点レンズ（以下、単に累進レンズという）の広い範囲を一度に測定してマッピング表示するレンズメータが提案されている（例えば、特許文献２）。
【特許文献１】特開平９−４３１０３号公報
【特許文献２】特開平１０−１０４１２０号公報
【発明の開示】
【発明が解決しようとする課題】
【０００３】
しかしながら、上記特許文献２におけるレンズメータは、通常のノーズピースより広い範囲に多数の小孔を設け、広い範囲の小孔像を一度に検出する構成であるため、その構成が複雑であり、製造コストが非常に高くなる。
また、従来の一般に用いられているレンズメータによる累進レンズの測定においては、遠用ポイントから近用ポイントを見つけるまでの操作が手間であり、どこが近用ポイントか分からない場合もある。測定光軸を中心とした１箇所の屈折度数を測定するレンズメータにおいても、被検レンズをノーズピース上で移動させ、測定光軸に対する被検レンズの測定位置を検出すると共に、その測定位置における度数を得ることにより、マッピング表示することが考えられる。しかし、屈折度数分布を得るべく、ノーズピース上で被検レンズを細かく移動させる作業は非常に困難であると共に、必要な領域の度数分布を洩れなく得るまでには非常に多くの時間が掛かる。
本発明は、上記従来装置の問題点を鑑み、コスト的に有利であり、また、測定時間や測定操作に手間が掛からずに、累進レンズのマッピング表示を可能にするレンズメータを提供することを技術課題とする。
【課題を解決するための手段】
【０００４】
上記課題を解決するために、本発明は以下のような構成を備えることを特徴とする。
（１）  ノーズピースに載置された被検レンズの光学特性を測定し、測定結果をディスプレイに表示するレンズメータにおいて、ノーズピースの円形開口領域内の被検レンズの屈折度数分布を得るために、所定パターンの多数の測定指標を有する指標板と、被検レンズ、ノーズピースの開口領域内及び前記指標板を通過した測定光束を検出する受光センサと、を持つ測定光学系と、前記受光センサの検出結果に基づいて所定領域の屈折度数分布を得る演算手段と、被検レンズを移動させたときに前記測定光学系の測定光軸に対して直交する方向の被検レンズの位置の変化を検出する位置検出手段と、累進多焦点レンズの遠用部，累進帯及び近用部が含まれると見込まれる測定領域を設定し、レンズの測定位置を前記演算手段により得られた屈折度数分布に基づいて遠用部、累進帯又は近用部のいずれかを含む測定開始位置に誘導するガイドを前記ディスプレイに表示した後、前記測定指標の分布領域の大きさと前記位置検出手段により検出されたレンズの移動位置とに基づき、前記測定領域の屈折度数分布が得られるように前記測定開始位置からのレンズの測定位置を誘導するガイドを前記ディスプレイに表示する誘導手段と、前記位置検出手段により検出された位置情報と前記演算手段に得られた屈折度数分布情報とに基づいて前記測定領域の全体の測定結果として屈折度数分布のマップを前記ディスプレイに表示する度数分布表示手段であって、同一の測定位置で測定値が重複して得られている場合には、所定の方法により決定された屈折度数分布のマップを表示すると共に、前記測定領域内の屈折度数分布に基づいて遠用部及び近用部の位置を判定し、前記マップ内に遠用部を示すマークと近用部を示すマークとを表示する度数分布表示手段と、を備えることを特徴とする。
（２）  （１）のレンズメータにおいて、前記度数分布表示手段は、同一の測定位置で測定値が重複して得られている場合には、新たに得られた屈折度数を上書き処理するか、平均化処理するか、又は測定中心の度数を優先して処理するか、何れかの方法により屈折度数を決定することを特徴とする。
【発明の効果】
【０００５】
本発明によれば、測定時間が短く、容易な操作で比較的広い範囲の度数分布のマップ表示が可能なレンズメータを、安価なコストで提供できる。
【発明を実施するための最良の形態】
【０００６】
以下、本発明の実施の形態を図面に基づいて説明する。図１は、実施形態のレンズメータの外観図である。１はレンズメータ本体である。２はＬＣＤ等で構成されたディスプレイであり、測定結果や度数分布のマップ等が表示される。３は入力用のスイッチ部であり、ディスプレイ２に表示されるスイッチ表示に対応したものを押すことにより、測定モードの切換え等の必要な入力指示を行う。４は被検レンズＬＥを置き、測定時の基点となるノーズピースである。５はレンズ押えであり、これを下に降ろすことでノーズピース４に載せられた被検レンズＬＥを安定して保持することができる。
【０００７】
６は前後方向に移動可能なレンズ当てであり、眼鏡フレーム入りレンズの測定においてフレームの下部（眼鏡装用状態における下部）に当接させて安定させることによりＡｘｉｓ（乱視軸角度）測定の基準を作る。９はレンズ当て６の移動レバーである。レンズメータ１の筐体内には、ポテンショメータ等からなる前後位置検出器３１が内蔵されており、レンズ当て６と共に移動する被検レンズの前後方向の移動量（移動位置）が検出される。１０は眼鏡フレームに枠入れされたレンズを測定する時に、眼鏡フレームの鼻当てに当接させる鼻パットであり、鼻パット１０はレンズ当て６の内部で左右方向に移動可能に保持されている。レンズ当て６の内部には、鼻パット１０の左右位置を検出するエンコーダ等の左右位置検出器３２が内蔵されており、鼻パット１０と共に移動する被検レンズの左右方向の移動量（移動位置）が検出される。また、鼻パット１０はバネ等により高さ方向に移動可能に保持されており、眼鏡フレームの鼻当てを当接した状態で被検レンズの光軸方向への調節も可能とされている。
【０００８】
眼鏡フレームに入れられた左右のレンズ度数を測定するときは、それぞれ中心合わせをして測定値をホールドすることにより、度数の測定と同時に検出器３２の信号によりＰＤ（瞳孔間距離）が測定される。また、レンズ当て６には距離表示のメモリ７が付されており、検者が鼻パット１０の移動距離（すなわちレンズの左右の移動距離）を読み取ることも可能である。８は被検レンズＬＥの光学特性データを読み取るためのＲＥＡＤスイッチである。ＲＥＡＤスイッチ８を押すことにより、測定値がディスプレイ２にホールド表示されると共に装置内部に記憶される。
【０００９】
図２は測定光学系と制御系の概略構成図である。１１は測定光学系であり、Ｌ１はその測定光軸である。測定光学系１１は、光軸Ｌ１上に配置されたＬＥＤ等の測定光源１２、コリメーティングレンズ１３、測定指標が形成されたグリッド板１４、２次元の受光センサ１５を備える。光軸Ｌ１はノーズピース４が持つ開口４ａの中心を通り、かつ開口４ａの開口平面に対して垂直に配置されている。グリッド板１４はノーズピース開口４ａの近傍に配置されている。ノーズピース開口４ａは、直径８ｍｍの円形である。
【００１０】
図３は、グリッド板１４に形成された指標パターンを示す図である。グリッド板１４の後面（受光センサ１５側の面）には、多数の円形孔からなる測定指標２０が形成されている。本実施例のおける測定指標２０は、測定光軸Ｌ１が通る中心位置に形成された直径０．４ｍｍの中心孔２１と、その回りに格子状に配置された直径φ０．２ｍｍの多数の小孔２２からなる。小孔２２は０．５ｍｍピッチで格子状に分布されている。その分布した個数は約２００個である。測定指標２０は、孔２１及び孔２２を白抜きした黒Ｃｒコートをグリッド板１４の後面に施すことにより形成することができる。
【００１１】
測定光源１２からの光束は、コリメーティングレンズ１３により平行光束とされた後、ノーズピース４上に載置されるレンズＬＥに投光される。レンズＬＥを透過した光のうち、グリッド板１４の孔２１及び孔２２を通過した光束が受光センサ１５に入射する。
【００１２】
なお、ノーズピース４の開口４ａからグリッド板１４までの距離、グリッド板１４から受光センサ１５までの距離は、測定可能なマイナスパワーのレンズ（例えば、マイナス２５Ｄ）及びプリズム（例えば、プリズム量１０Δ）をノーズピース４上に置いたときにも、中心孔２１のドット像が受光センサ１５の受光面で常に受光されるように設計されている。中心孔２１（後述する中心ドット像２１Ｐ）は、他の孔２１の対応関係を特定するための基準指標、すなわち、レンズＬＥ無しの状態の「０Ｄ基準」に対して、レンズＬＥが置かれたときに対応する各ドット像を特定するための基準指標として使用される。基準指標しては、他の測定指標と区別できれば、グリッド板１４の中心に限らず、他の場所にあたっても良いし、その個数や形状も限定されない。
【００１３】
受光センサ１５からの出力信号は制御部４０に入力される。制御部４０には、装置の電源投入時にレンズＬＥ無しの状態で検出される「０Ｄ基準」のドット像の座標及び測定情報等を記憶するメモリ４１が接続されている。制御部４０は、レンズＬＥが置かれていない場合に受光センサ１５に入射した各孔２２のドット像の座標位置を基準にし、屈折力を持つレンズＬＥを置いた場合の各ドット像の位置変化から、レンズＬＥの光学特性（球面度数Ｓ、柱面度数Ｃ、乱視軸角度Ａ、プリズム量Δ）を演算する。例えば、球面度数のみを持つレンズＬＥが置かれた場合は、レンズＬＥが無い場合に対して、各ドット像はレンズＬＥの光学中心から円形状に等距離に拡大、縮小する。この拡大又は縮小量に基づいて球面度数Ｓが求められる。また、柱面度数Ｃのみを持つレンズＬＥが置かれた場合は、レンズＬＥが無い場合に対して、各ドット像はレンズＬＥの軸中心から楕円状に拡大又は縮小する。この拡大又は縮小量に基づいて柱面度数Ｃ、乱視軸角度Ａが求められる。また、プリズム量Δは、レンズＬＥの中心ドット像又はその付近のドット像の平行移動量によって求められる。球面度数、柱面度数及びプリズムを持つレンズはこれらの複合と考えれば良い（特開昭５０−１４５２４９を参照）。
【００１４】
ここで、レンズＬＥの光学特性は、隣接する４つ（少なくとも３つ）のドット像を１組として演算する他、３×３点，４×４点，または５×５点等のドット像を１組とし、各ドット像の平均変化から光学特性を算出しても良い。その場合の測定位置は１組のドット像範囲の中心位置、あるいは特定のドット像位置として決めておく。隣りの場所の測定位置は、１ドット分ずらして演算することにより、測定位置の分解能を落とさずに測定できる。本実施形態では、３×３点のドットを１組とし、１ドット分ずらして多数の測定位置での光学特性を測定する。ノーズピース４の開口４ａ内では、７ｍｍほどの範囲が測定可能である。３×３点以上のドットを１組として演算する場合は、ゴミ等により一部のドット像が検出できなくても、その測定位置の演算が可能である。従って、本装置の測定指標の構成によれば、ノーズピースの開口４ａ内にて複数の測定位置の情報が一度に得られる。すなわち、開口４ａ内における光学特性である屈折度数分布が得られる。このため、累進レンズにおいては、現在の測定位置が遠用部にあるか否かを効率良く判定することができる。同様に現在の測定位置が近用部にあるか否かを判定することができる。
【００１５】
なお、ノーズピース開口４ａ内等の所定領域の屈折度数分布を被検レンズの移動無しに測定可能な測定光学系は、図２に示した構成に限られるものでは無い。例えば、グリッド板１４は、レンズＬＥより光源１２側に配置しても良い。屈折度数分布の測定としては、少なくとも測定光軸を中心に上下方向及び左右方向に測定位置を形成することが好ましい。一度に測定可能とする領域は、ノーズピース４を使用しない場合には、開口４ａより広く取っても良い。
【００１６】
図２において、制御部４０には、屈折度数分布等の測定情報をディスプレイ２に表示させるための表示回路４２、ＲＥＡＤスイッチ８、入力用スイッチ３が接続されている。制御部４０は、前後位置検出器３１と左右位置検出器３２からの出力信号に基づいて、測定光軸Ｌ１に対して直交する方向である前後及び左右方向に被検レンズＬＥを移動したときの測定位置の変化を検出する。制御部４０は、検出した測定位置の座標ごとに得られる被検レンズの光学特性をメモリ４１へ記憶する。上述したように、ノーズピース開口４ａ内にて複数の測定位置の情報が一度に得られ、ノーズピース開口４ａ内における度数分布が得られるようになっている。そのため、ノーズピース４上の被検レンズＬＥを移動すると、それぞれの測定位置の座標に対応した屈折度数の分布情報を得ることができる。これを利用して、被検レンズＬＥを動かし、被検レンズの遠用部、近用部及び累進帯付近一帯がノーズピース４の上を通過するようにすれば、比較的広い範囲の度数分布を簡単な操作で、短時間に得ることができる。
【００１７】
以上のような構成を備えるレンズメータにおいて、眼鏡フレームに入れられた累進レンズを測定する時の動作を説明する。測定するレンズＬＥの左右を、スイッチ部３の左右選択スイッチにより指定する。あるいは、眼鏡フレームの鼻当てを鼻パット１０に載せた状態で左右に移動させると、鼻パット１０の移動位置が左右移動検出器３２により検知され、ノーズピース４に載せられるレンズＬＥの左右が検知される。したがって、この検出器３２からの出力信号を左右の指定信号に利用することもできる。以下では、右眼のレンズＬＥを測定するものとする。
【００１８】
スイッチ部３のスイッチにより累進レンズの測定モードを選択すると、ディスプレイ２上には、図４（ａ）に示すように、右眼の累進レンズを模したレンズマーク１１０をもつアライメント画面が表示され、その中に測定開始位置を示す十字マーク１００、ターゲット１０１、屈折度数分布の測定が必要な領域を示す矩形形状のガイド枠１０２が表れる。分布測定を開始する前段階において、ガイド枠１０２の内側部分はマスクがかかったような表示となっている。レンズＬＥを左右前後に移動させ、遠用部付近をノーズピース４上の測定位置にアライメントするために、ディスプレイ２を見ながらターゲット１０１を遠用部付近の十字マーク１００に合わせる。この時、図１に示すようにレンズ当て６の当接面に眼鏡の左右枠の下端（本明細書では、眼鏡枠やレンズの上下とは眼鏡を装用した状態での上下を意味するものとして使用する）を同時に当接させる。
【００１９】
ここで、累進レンズの遠用部は、乱視度数がない場合には、レンズの左右方向のプリズム量が０となる縦軸線上（眼鏡を装用した状態の上下方向を縦方向とする）に存在する。この縦軸線上では水平方向のプリズム量が略０であるため、中心ドット像の位置又はその付近の複数のドット像位置からプリズム量が求められ、これに基づいて現在の測定位置が遠用部にあるか否か、遠用部が何れの方向にずれているかが判定される。測定領域は、レンズの左右方向のプリズム量が０となる縦軸線上から少し離れた領域を持つので、左右方向のプリズム量が０から所定量増加した範囲までを左右方向の測定領域とする。制御部４０によりノーズピース開口４ａが測定領域から外れていると判定された場合は、ガイド枠１０２に対してターゲット１０１が右又は左に表示される。これに従って、検者がレンズＬＥを右または左に移動させることにより、水平プリズム量が略０付近になると、ターゲット１０１が十字マーク１００の縦線に一致するように表示される。この時、ターゲット１０１はガイド枠１０２内に入ったように表示される。
【００２０】
水平プリズム量が略０付近となった後は、中心ドット像を中心とした３×３点のドット像と、それより１ドット分ずつ上方向及び下方向に位置する３×３点のドット像の各組について等価球面値を計算することにより、測定位置が累進帯に位置している否かが判定される。上下方向において、少なくとも３個の測定位置の屈折力がほぼ同じであれば、上下方向の測定位置が遠用部または遠用部とほぼ同じの領域にあると判定される。また、中心ドット像より下方向に位置するドット像の組から求められる等価球面値に対して、上方向に位置するドット像の組から求められる等価球面値が大きければ、測定位置が累進帯に位置していると判定される。この場合、検者に被検レンズをレンズ上方に移動させる（レンズを装置奥側に押す）指示として、図４（ｂ）に示す誘導用の矢印１０６が表示される。上下方向の各位置の等価球面値がほぼ同じと判断されれば、ターゲット１０１の表示が大十字マーク１０５に変化し（図４（ｃ）参照）、検者に測定開始位置へのアライメント完了の旨が報知される。
【００２１】
乱視度数を持つレンズの場合は、遠用部位置の水平プリズム量が０とはならないため補正を行う必要があるが、乱視度数が球面度数よりも大きい場合などでは補正量の誤差が大きくなる場合もある。このため、横方向のドット像の組による各測定位置の乱視度数を求め、中心ドット像の組により求められる乱視度数が最小付近になるように被検レンズＬＥを移動させるべく、ターゲット１０１が表示される。
【００２２】
測定開始位置へのアライメントが完了すると、測定領域内の屈折度数分布（球面度数Ｓ、円柱度数Ｃ、乱視軸角度Ａ）を測定するステップへ移行する。検者によりＲＥＡＤボタン８が押されると（あるいは、遠用部へのアライメントが完了されたと判定されると）、図５（ａ）に示すようにアライメント画面が大十字マーク１０５からコロナターゲット１２０の表示へと変えられる。コロナターゲット１２０の領域の大きさとガイド枠１０２の領域の大きさは、実際の移動距離の相対関係を揃えたものとなっている。コロナターゲット１２０の領域内は、ノーズピースの開口４ａ内で屈折度数分布が測定される領域（本実施形態では７ｍｍ）である。ガイド枠１０２として表示される領域は、少なくとも累進レンズの遠用部、累進帯及び近用部が含まれると見込まれるサイズに設定されている。本実施形態では、測定領域サイズを縦４０ｍｍ×横１３ｍｍ程度としている。また、累進レンズでは、通常、遠用部の位置に対して近用部は横方向の鼻側に２ｍｍ程の位置にあるので、右眼用レンズの指定信号が入力された場合には、遠用部の測定開始位置がガイド枠１０２の右下位置とされ、ガイド枠１０２の測定領域は近用部が含まれると見込まれる方向の左側に広がった範囲とされる。逆に、左眼用が指定された場合には、図４（ａ）〜（ｃ）における遠用部の測定開始位置が左下とされる。なお、測定領域をさらに広い範囲に設定してもよい。これは、スイッチ部３のスイッチ操作によりメニュ画面を呼び出すことで任意のサイズに変更できる。
【００２３】
制御部４０は、検出器３１及び３２からの検出信号から、レンズＬＥの測定位置の座標を求める。また、受光センサ１５からの出力信号からノーズピース開口４ａ内における屈折度数分布を所定の時間間隔毎（例えば０．１秒毎）に連続的に得ている。そして、測定位置の座標と屈折度数分布を対応させて随時メモリ４１に記憶する。メモリ４１へ記憶されたデータは、表示回路４２を介してディスプレイ２へ表示される。表示回路４２は、メモリ４１に記憶されたデータを測定された度数の大きさ毎に変換処理を行い、ディスプレイ２上のコロナターゲット１２０内、及びガイド枠１０２の測定済みの領域に度数ごとに色分けした度数分布のマップを表示する。なお、度数分布のカラーマップ表示としては、球面度数分布又は円柱度数分布があり、測定時のアライメント画面に何れを表示するかは、スイッチ部３により予め選択できる。以下で説明する図５（ａ）〜図５（ｄ）は、円柱度数分布のカラーマップが表示されるものとする。
【００２４】
検者が測定領域内における別の位置の屈折度数分布を測定すべく、レンズＬＥを移動すると、検出器３１，３２により検出されるレンズＬＥの移動量に基づいて、コロナターゲット１２０の表示位置がリアルタイムに移動される。制御部４０は、新たな測定位置における座標と各測定位置の座標における屈折度数分布とを求め、メモリ４１へ記憶する。そして、メモリ４１に記憶されたデータに基づいて、コロナターゲット１２０内に乱視度数ごとに色分けした度数分布のマップを表示する。
【００２５】
なお、検者がレンズを移動する中で、一度測定した位置の座標で再度測定が行われた場合には、制御部４０は、既にメモリ４１に記憶されたデータを上書き処理する。もしくは平均化処理、測定中心の度数を優先処理する。また、新たに検出される測定位置の座標が既に測定した座標と一致していないこともあるので、この場合には座標位置の補正を行うことが好ましい。
【００２６】
このようにして、レンズＬＥの移動に伴って、測定した部分の度数分布の表示が順次拡大されていく。図５（ｂ）は、コロナターゲット１２０を測定開始位置から上方に移動すべくレンズＬＥを手前に動かした時の図である。測定された部分については度数分布のカラーマップ１０３が表示され、まだ測定されていない部分についてはマスクがかかったままである。この表示により、検者は測定済み部分と未測定部分とを容易に区別でき、レンズＬＥを移動すべき方向が容易に判断できる。検者は、ガイド枠１０２のマスク部分へコロナターゲット１２０が移動するように、レンズＬＥを動かしていけばよい。
【００２７】
図５（ｃ）は、さらに、コロナターゲット１２０を上方に移動させていき、ガイド枠１０２のレンズＬＥの右上端に達した後、コロナターゲット１２０を左方向（レンズＬＥを内寄せ方向である右方向）にコロナターゲット１つ分移動させてから、さらにコロナターゲット１２０を下方に移動させるようにレンズを動かした時の表示例である。レンズＬＥを内寄せ方向に移動させる際には、レンズ当て６に付されたメモリ７の距離表示に従って、約６ｍｍ移動させるようにしても良い。図５（ｄ）は、さらに、コロナターゲット１２０を下方に移動させていき、ガイド枠１０２の左下端まで移動させるようにレンズを動かした時のマップ表示である。
【００２８】
以上の図５（ａ）〜図５（ｄ）のように、未測定部分が無くなるようにコロナターゲット１２０を移動させるべく、レンズＬＥを移動することにより、測定済み領域の度数分布のマップ１０３が表示される。この時、ガイド枠１０２内のある一部分だけマスクがかかっていた場合には、未測定部分があるので、その部分にコロナターゲット１２０を移動させて測定を行えば良い。なお、レンズＬＥの上下幅が短い場合は、レンズＬＥの端まで移動させてもガイド枠１０２の上端まで測定済みの領域が広がらないが、これは未測定部分として残っていても差し支えない。また、レンズＬＥを測定光軸に直交する方向に移動させる際は、レンズＬＥの後面がノーズピース４の上端に接するように位置させることが好ましい。これにより、レンズＬＥの後面の高さを揃えて、屈折力分布を測定できる。
【００２９】
ガイド枠１０２内の測定が完了した後、検者によるＲＥＡＤボタン８の２度目の入力があると、制御部４０はメモリ４１に記憶された各座標の分布情報を再構築し、測定領域内の度数分布をカラーマップとして改めて表示する。これは、レンズＬＥの移動に伴って随時度数分布をディスプレイ２に表示していくような場合、異常な度数分布がそのまま表示されたり、測定光軸より離れた周辺での信頼性の低い度数分布がそのまま表示される可能性があるためである。再度メモリ４１に記憶された情報を整理することにより、信頼性の高い度数分布に再構築することができる。
【００３０】
測定完了後、制御部４０はメモリ４１に記憶されたデータから遠用部と近用部の位置の判別を行い、度数分布マップとともに表示する。近用部の上下方向の位置は、上下方向の少なくとも３つの測定位置で等価球面値がほぼ同じで、ピークがある位置として判定できる。近用部の左右方向の位置は、左右方向における乱視度数の差の絶対値を光学歪み量とし、この光学歪み量が最小値となった位置として判定できる。さらに、制御部４０は、遠用部のＳ、Ｃ、Ａの測定値および、加入度数ＡＤＤを度数分布マップ１３０の近傍に表示する。図６は、ＲＥＡＤボタン８の再入力後の表示画面を示す図であり、度数分布マップ１３０における遠用部は白抜きの円１３３で表示され、近用部は黒色の円１３４で表示される。この度数分布マップ１３０は、乱視度数分布の表示であるが、スイッチ部３により球面度数分布の表示に切換えたり、両者を同一画面に並べて表示することもできる。
【００３１】
なお、加入度がピークポイントを持たず、右肩上がりで加入度が増加していく累進レンズでは、近用部の判定ができない。この場合には、図７に示すように、度数分布マップ１３０と共に、加入度の増加の様子を示すグラフ１４０を表示すると共に、遠用部からの距離（例えば、１２ｍｍ，１４ｍｍ，１６ｍｍ，１８ｍｍ等）における度数を同時に表示する。さらには、カーソル１３７をマップ１３０上に表示させ、スイッチ部３のスイッチ操作によりカーソル１３７を任意の度数分布位置に移動し、そのポイントにおける加入度を表示させることもできる。また、球面度数分布マップ又は乱視度数分布マップにおいて、カーソル１３７等により任意の２つのポイントを遠用点、近用点として指定することで、その指定された２点間の球面度数差を加入度として表示させることもできる。これにより、様々な累進レンズにおいても加入度を容易に知ることができる。
【００３２】
また、スイッチ部３が持つプリントスイッチを押すと、測定結果がプリントアウトされる。プリントアウトの表示は、図６のような乱視度数や球面度数の度数分布マップ１３０、さらには図７のようなグラフ１４０である。
【００３３】
以上説明した実施形態は、種々の変容が可能である。例えば、上記ではレンズＬＥの移動を誘導するガイド表示として、測定済みの領域内に度数分布マップが同時に現われるような表示としたが、これは単に測定済み領域の色や表示形態が、未測定領域と区別されて拡大するような表示であっても良い。
【００３４】
また、他のガイド表示としては、図８に示すように、遠用部と判定される位置を基準にして矢印ガイド１５０を表示させ、この矢印ガイド１５０に従ってレンズＬＥを移動させることでも良い。レンズＬＥを移動させると、図８のコロナターゲット１２０が矢印ガイド１５０上を移動するように表示される。コロナターゲット１２０の位置は、検出器３１，３２により検出されるレンズＬＥの移動位置に応じてりリアルタイムに移動される。上下方向（レンズの前後方向）の移動については、コロナターゲット１２０の中心が矢印ガイド１５０から外れないように移動させれば良い。なお、右眼レンズの場合には、その選択信号を基に、ガイド枠１０２及び矢印ガイド１５０が遠用部に対して鼻側に位置するように表示される。この誘導表示に従って、レンズＬＥを手間側に移動させた後に内寄せ側に移動させ、再びレンズＬＥ奥側に移動させるといった簡単な操作で、遠用部と近用分が含まれる領域の度数分布を測定できる。
【００３５】
また、図５、図６及び図８の誘導表示例においては、レンズＬＥの移動に応じてコロナターゲット１０２がレンズマーク１０２及びガイド枠１０２に対して移動するようにしたが、これは逆でも良い。すなわち、コロナターゲット１０２の表示位置は変わらずに、レンズＬＥの移動に応じてレンズマーク１０２及びガイド枠１０２部分が移動するように表示しても良い。
【００３６】
また、上記では測定領域における屈折度数分布の測定開始位置は遠用部に限らず、累進帯又は近用部が含まれると見込まれる付近から初めても良い。測定位置が累進帯に位置するか、近用部付近に位置するかは、前述のようにノーズピース開口４ａ内で得られる屈折度数分布から判定できるので、その位置を出発点する十字マーク１００をアライメント画面に表示して、被検レンズの移動を誘導すれば良い。その後、屈折度数分布の測定が必要な測定領域を測定位置が順次通過するように、測定済み領域が次第に拡大する様子の誘導、または矢印等でレンズＬＥの移動を誘導することで、屈折力分布のマップを得ることができる。屈折度数分布の測定が必要な測定領域は、少なくとも遠用部，累進帯及び近用部が含まれると見込まれる範囲であれば良く、誘導表示時には現在の測定位置の関系が分かるように、ガイド枠１０２やターゲット１０１等を表示することが好ましい。
【００３７】
また、本実施形態においては、眼鏡フレーム（被検レンズＬＥ）を、検者の手動操作によって移動させる構成としたが、眼鏡フレームを保持機構により保持して移動させるものでも良い。図９はその概略構成図である。２００はフレーム保持機構であり、被検レンズＬＥを持つ眼鏡フレームＦＲを左右両端から水平保持する。また、フレーム保持機構２００は、保持した眼鏡フレームＦＲを電動移動により測定光軸Ｌ１方向（Ｚ方向）、測定光軸Ｌ１に対して直交する前後方向（Ｙ方向）及び左右方向（Ｘ方向）に移動させるための移動機構２０１により移動される。移動機構２０１は、ＸＹＺ方向それぞれにモータ機構及びスライド機構等を有し、制御部４０にり駆動制御される。２１０は、図１におけるノーズピース４の先端に相当する位置に配置されたタッチセンサ等の位置検知器であり、位置検知器２１０は被検レンズＬＥの後面の高さを検知する。眼鏡フレームＦＲ（レンズＬＥ）を移動させる際、制御部４０は、位置検知器２１０の信号に基づいて移動機構２０１のＺ方向を制御することにより、被検レンズＬＥの後面を所定の高さにして測定が可能になる。また、ＸＹ方向の保持機構２００の誘導（移動）は、左右眼の指定信号と、先の例で説明した表示制御の情報を使用して駆動制御することにより、必要な測定領域の屈折度数分布が得られる。
【００３８】
以上のように、本装置によれば、遠用部及び近用部が含まれる領域内の屈折度数分布を細かな移動の調整を伴うこと無く、簡単な操作で短時間に測定でき、その度数分布をマップ表示で容易に確認できる。
【図面の簡単な説明】
【００３９】
【図１】実施形態のレンズメータの外観図である。
【図２】測定光学系と制御系の概略構成図である。
【図３】グリッド板に形成された指標パターンを示す図である。
【図４】測定位置の誘導表示の例である。
【図５】測定位置の誘導表示の例である。
【図６】度数分布マップの表示例である。
【図７】加入度増加のグラフの表示例である。
【図８】誘導表示の変容例を示す図である。
【図９】眼鏡フレームを保持機構により保持して移動させる構成例を説明する図である。
【符号の説明】
【００４０】
２  ディスプレイ
３  スイッチ部
４  ノーズピース
１１  測定光学系
１４  グリッド板
１５  受光センサ
３１  前後位置検出器３１
３２  左右位置検出器３２
４０  制御部
４２  表示回路
４１  メモリ
１０１  ターゲット
１０２  ガイド枠
１０３  カラーマップ
１２０  コロナターゲット
１３０  度数分布マップ
【図１】
0004646017.tif 000002
【図２】
0004646017.tif 000003
【図３】
0004646017.tif 000004
【図４】
0004646017.tif 000005
【図５】
0004646017.tif 000006
【図６】
0004646017.tif 000007
【図７】
0004646017.tif 000008
【図８】
0004646017.tif 000009
【図９】
0004646017.tif 000010